(57)【要約】      （修正有）【課題】ドライブの過程における映像を記録できることによって、ヘルメットの安全性を向上させることができる、撮影機能を有する頬部ライナーを提供する。【解決手段】撮影機能を有する頬部ライナー１は、ヘルメット９内側壁に設けられ、本体１０及び撮影装置１４を含む。本体は、弾性ライナー１０１を有する。撮影装置は、弾性ライナーに嵌め込まれ、撮影装置の撮影レンズ１４０が弾性ライナー外に露出される。撮影レンズは、ヘルメットの周辺環境の映像を取り込むことができるように、可動調整できる。【選択図】図１Ａ
0003191713.tif 000002
【実用新案登録請求の範囲】
【請求項１】
ヘルメット内側壁に設けられる撮影機能を有する頬部ライナーであって、
弾性ライナーを有する本体と、
前記弾性ライナーに嵌め込まれ、撮影レンズが前記弾性ライナー外に露出される撮影装置と、
を含み、
前記撮影レンズは、前記ヘルメットの周辺環境の映像を取り込むように可動調整できることを特徴とする撮影機能を有する頬部ライナー。
【請求項２】
前記弾性ライナーに嵌め込まれ、前記撮影装置に電気的に接続される電源装置を更に含むことを特徴とする請求項１に記載の撮影機能を有する頬部ライナー。
【請求項３】
前記本体は、
板体と、
前記板体に設けられ、前記ヘルメットのあご紐を通すのに用いられる第１の貫通孔構造と、
前記板体に設けられ、前記ヘルメットに接続するのに用いられる接続構造と、
を更に含み、
前記弾性ライナーが前記板体に設けられ、前記板体が前記接続構造を介して前記ヘルメット内側壁に設けられることを特徴とする請求項２に記載の撮影機能を有する頬部ライナー。
【請求項４】
前記本体は、
前記板体に設けられる少なくとも１つの第２の貫通孔構造と、
前記板体に設けられる少なくとも１つの粘着層と、
を更に含むことを特徴とする請求項３に記載の撮影機能を有する頬部ライナー。
【請求項５】
前記弾性ライナーは、前記電源装置及び前記撮影装置を被覆するための弾性被覆部を有し、前記弾性被覆部は、複数の貼付層を有し、前記複数の貼付層のうちの１つが、前記少なくとも１つの粘着層に貼付されるように、前記少なくとも１つの第２の貫通孔構造を貫通することを特徴とする請求項４に記載の撮影機能を有する頬部ライナー。
【請求項６】
前記撮影装置は、
ハウジングと、
前記ハウジングを被覆する保護層と、
前記撮影レンズに電気的に接続される制御ユニットと、
可動するように前記ハウジングに接続される回動ユニットと、
を更に含み、
前記撮影レンズは、前記ハウジングに設けられ、前記回動ユニットを介して可動して前記ヘルメットの周辺環境の映像を取り込むことを特徴とする請求項１に記載の撮影機能を有する頬部ライナー。
【請求項７】
前記撮影装置は、
前記ハウジングに設けられ、前記制御ユニットに電気的に接続される赤外線ランプと、
前記ハウジングに設けられ、前記制御ユニットに電気的に接続される発光ダイオードと、
を更に含むことを特徴とする請求項６に記載の撮影機能を有する頬部ライナー。
【請求項８】
前記制御ユニットは、一部の制御スイッチが前記撮影装置による前記ヘルメットの周辺環境の映像の取り込み又は取り込みの中止を制御するのに用いられ、他の一部の制御スイッチが前記赤外線ランプの発光又は発光の中止を制御するのに用いられ、更に他の一部の制御スイッチが前記発光ダイオードの発光又は発光の中止を制御するのに用いられる複数の制御スイッチを更に含むことを特徴とする請求項７に記載の撮影機能を有する頬部ライナー。
【請求項９】
前記弾性ライナーは、くの字形ライナー構造又はコの字形ライナー構造となる構成であり、
前記弾性ライナーは、１つの緩衝部が前記電源装置と前記撮影装置との間に介在され、残りの一部の緩衝部が前記撮影装置及び前記電源装置を被覆する複数の緩衝部を更に含むことを特徴とする請求項２に記載の撮影機能を有する頬部ライナー。
【請求項１０】
前記撮影装置は、前記ヘルメットの周辺環境の音声を取り込むのに用いられる集音ユニットと、前記ヘルメットの周辺環境の映像及び音声を記録するのに用いられる記憶ユニットと、を更に含むことを特徴とする請求項１に記載の撮影機能を有する頬部ライナー。
【考案の詳細な説明】
【技術分野】
【０００１】
本考案は、撮影装置に関し、特にヘルメットに設けられる撮影機能を有する頬部ライナーに関する。
【背景技術】
【０００２】
現代の生活において、安全意識の高まりに伴い、ヘルメットの作用は益々その重要性が増しており、ヘルメットはすでに必要不可欠な安全設備となっていると共に、自動二輪車、自転車又は危険な作業場所における人員の頭部の防護に幅広く適用されている。
【０００３】
しかしながら、従来のヘルメットでは、頭部又は頸部を保護する効果を有するに過ぎず、交通事故又は衝突等の事故が発生した場合、交通事故又は衝突等の事故発生の経緯を明らかにすることはできないという問題や、交通事故又は衝突等の事故の経緯を明らかにするための撮影装置を増設することによって従来のヘルメットの安全構造を破壊してしまう問題や、撮影装置がヘルメットの外に突出することによってヘルメットの安全係数を低下させてしまう問題や、衝突事故に遭うと撮影装置が破砕して人体を傷つける問題があった。
【考案の概要】
【考案が解決しようとする課題】
【０００４】
上述した問題を解決するために、本考案は、撮影機能を有する頬部ライナーを提供することを課題とする。本考案に係る撮影機能を有する頬部ライナーは、ヘルメットの周辺環境の映像を撮影録画する撮影装置を有すると共に、電源装置と撮影装置とが嵌め込まれる弾性ライナーを有する。これにより、本考案に係る撮影機能を有する頬部ライナーは、ドライブの過程における映像を記録できることによって、ヘルメットの安全性を向上させることができる。
【課題を解決するための手段】
【０００５】
本考案に係る撮影機能を有する頬部ライナーは、ヘルメット内側壁に設けられ、本体及び撮影装置を含む。本体は、弾性ライナーを有する。撮影装置は、弾性ライナーに嵌め込まれ、撮影装置の撮影レンズが弾性ライナー外に露出される。撮影レンズは、ヘルメットの周辺環境の映像を取り込むことができるように、可動調整できる。
【０００６】
本考案の１つの実施例において、上述した撮影機能を有する頬部ライナーは、弾性ライナーに嵌め込まれる電源装置を更に含む。電源装置は、撮影装置に電気的に接続される。
【０００７】
本考案の１つの実施例において、上述した本体は、板体、第１の貫通孔構造及び接続構造を更に含む。第１の貫通孔構造は、板体に設けられ、ヘルメットのあご紐を通すのに用いられる。接続構造は、板体に設けられ、ヘルメットに接続するのに用いられる。弾性ライナーは、板体に設けられる。板体は、接続構造を介してヘルメット内側壁に設けられる。
【０００８】
本考案の１つの実施例において、上述した本体は、少なくとも１つの第２の貫通孔構造及び少なくとも１つの粘着層を更に含む。少なくとも１つの第２の貫通孔構造は、板体に設けられる。少なくとも１つの粘着層は、板体に設けられる。
【０００９】
本考案の１つの実施例において、上述した弾性ライナーは、電源装置及び撮影装置を被覆するための弾性被覆部を有する。弾性被覆部は、複数の貼付層を有する。これら貼付層のうちの１つは、少なくとも１つの粘着層に貼付されるように、少なくとも１つの第２の貫通孔構造を貫通する。
【００１０】
本考案の１つの実施例において、上述した撮影装置は、ハウジング、保護層、制御ユニット及び回動ユニットを更に含む。保護層は、ハウジングを被覆する。制御ユニットは、撮影レンズに電気的に接続される。回動ユニットは、可動するようにハウジングに接続される。撮影レンズは、ハウジングに設けられる。撮影レンズは、回動ユニットを介して可動してヘルメットの周辺環境の映像を取り込む。
【００１１】
本考案の１つの実施例において、上述した撮影装置は、赤外線ランプ及び発光ダイオードを更に含む。赤外線ランプは、ハウジングに設けられ、制御ユニットに電気的に接続される。発光ダイオードは、ハウジングに設けられ、制御ユニットに電気的に接続される。保護層は、ハウジングを被覆する。
【００１２】
本考案の１つの実施例において、上述した制御ユニットは、複数の制御スイッチを更に含む。このうち、一部の制御スイッチは、撮影装置によるヘルメットの周辺環境の映像の取り込み又は取り込みの中止を制御するのに用いられる。他の一部の制御スイッチは、赤外線ランプの発光又は発光の中止を制御するのに用いられる。更に他の一部の制御スイッチは、発光ダイオードの発光又は発光の中止を制御するのに用いられる。
【００１３】
本考案の１つの実施例において、上述した弾性ライナーは、くの字形ライナー構造又はコの字形ライナー構造となる構成である。弾性ライナーは、複数の緩衝部を更に含む。このうち、１つの緩衝部が電源装置と撮影装置との間に介在され、残りの一部の緩衝部が撮影装置及び電源装置を被覆する。
【００１４】
本考案の１つの実施例において、上述した撮影装置は、集音ユニット及び記憶ユニットを更に含む。集音ユニットは、ヘルメットの周辺環境の音声を取り込むのに用いられる。記憶ユニットは、ヘルメットの周辺環境の映像及び音声を記録するのに用いられる。
【考案の効果】
【００１５】
このように、本考案に係る撮影機能を有する頬部ライナーは、ヘルメット内の左側壁又は右側壁に設けられ、電源装置と撮影装置とを、薄型装置に統合すると共に本体の弾性ライナーに嵌め込む。弾性ライナーの緩衝部は電源装置及び撮影装置を覆う。これにより、本考案に係る撮影機能を有する頬部ライナーは、ヘルメットの周辺環境の映像を撮影録画する機能又はドライブ、交通事故若しくは衝突事故の過程の映像を記録する機能を有する。これにより、本考案は、ヘルメットの利便性と安全性を向上させることが可能である。
【図面の簡単な説明】
【００１６】
【図１Ａ】本考案の１つの実施例に係る撮影機能を有する頬部ライナーがヘルメットに設けられることを示す分解図である。
【図１Ｂ】図１Ａに基づく本考案の１つの実施例に係る撮影機能を有する頬部ライナーがヘルメットに設けられた組付け状態を示す図である。
【図２Ａ】図１Ｂに基づく本考案の１つの実施例に係る撮影機能を有する頬部ライナーを示す正面図である。
【図２Ｂ】図２Ａに基づく本考案の１つの実施例に係る撮影機能を有する頬部ライナーを示す背面図である。
【図３Ａ】本考案の他の実施例に係る撮影機能を有する頬部ライナーを示す正面図である。
【図３Ｂ】図３Ａに基づく本考案の他の実施例に係る撮影機能を有する頬部ライナーを示す背面図である。
【考案を実施するための形態】
【００１７】
本考案の上述した目的及びその他の目的、特徴及び利点をより明確に理解することができるように、以下、図面を用いながら本考案の好ましい実施例について詳細に説明する。
【００１８】
以下、図面に基づいて本考案の実施例を詳細に説明する。また、図面における同一の符号は類似する部材を示すことができる。
【実施例】
【００１９】
＜第１の実施例＞
図１Ａは、本考案の１つの実施例に係る撮影機能を有する頬部ライナーがヘルメットに設けられることを示す分解図である。図１Ｂは、図１Ａに基づく本考案の１つの実施例に係る撮影機能を有する頬部ライナーがヘルメットに設けられた組付け状態を示す図である。図１Ａ及び図１Ｂに示すように、本考案に係る撮影機能を有する頬部ライナー１は、スリークォーターズ（ｔｈｒｅｅ―ｑｕａｒｔｅｒｓ）型ヘルメット９内の左側壁又は右側壁に取り外し可能に設けられる。既存の一般的なスリークォーターズ型ヘルメット９内の左側壁又は右側壁には、ボタン止めの構成としたハトメ（ｅｙｅｌｅｔ）が設けられている。これにより、本考案に係る撮影機能を有する頬部ライナー１は、直接前記ハトメに止めることができる。これにより、使用者は、ヘルメット９本来の剛性構造に改造を加えたり破壊する必要がないため、本来のスリークォーターズ型ヘルメット９の剛性を維持することができると共に、本考案が有するヘルメット９の周辺環境の映像を撮影録画する機能を利用することができる。但し、本実施例は、撮影機能を有する頬部ライナー１の態様及び設置位置を制限するものではない。
【００２０】
詳しく述べると、撮影機能を有する頬部ライナー１は、本体１０及び撮影装置１４を含む。本体１０は、弾性ライナー１０１を有する。撮影装置１４は、弾性ライナー１０１に嵌め込まれ、撮影装置１４の撮影レンズ１４０が弾性ライナー１０１外に露出される。これにより、撮影レンズ１４０は、ヘルメット９の周辺環境の映像を取り込むことができるように、可動調整できる。
【００２１】
例を挙げると、使用者が自転車、自動二輪車、オートバイ又は大型自動二輪車を運転する際、使用者はヘルメット９を被る。本考案に係る撮影機能を有する頬部ライナー１は、ヘルメット９内側壁に設けられると共に、運転者のドライブレコーダーとして、ヘルメット９の周辺環境の映像を撮影録画することができる。また、図１Ｂに示すように、撮影機能を有する頬部ライナー１がヘルメット９内側壁に設けられ、撮影レンズ１４０が弾性ライナー１０１外に突出することにより、使用者は撮影レンズ１４０が映像を撮影録画する角度を調整することができる。
【００２２】
図１Ａに示すように、使用者が予定地点に無事到達した後、使用者は、撮影機能を有する頬部ライナー１をヘルメット９から取り外すことができる。従って、使用者は、撮影機能を有する頬部ライナー１を充電することができる。或いは、撮影機能を有する頬部ライナー１の内部装置が破損した場合、使用者は、撮影機能を有する頬部ライナー１を修理に出すことができる。或いは、使用者は、撮影機能を有する頬部ライナー１が盗まれるのを防止するために、撮影機能を有する頬部ライナー１を簡単に持ち運び、しまっておくことができる。
【００２３】
特筆すべきことは、撮影レンズ１４０が弾性ライナー１０１外に突出しており、弾性ライナー１０１によって被覆されていないため、撮影レンズ１４０と弾性ライナー１０１との間の接合箇所は、粘着剤によって粘着することができ、これにより良好な被覆效果を達成することができることである。
【００２４】
次いで、撮影機能を有する頬部ライナー１の細部構造及びその作動を更に説明する。図２Ａは、図１Ｂに基づく本考案の１つの実施例に係る撮影機能を有する頬部ライナーを示す正面図である。図２Ｂは、図２Ａに基づく本考案の１つの実施例に係る撮影機能を有する頬部ライナーを示す背面図である。以下、図２Ａ及び図２Ｂを用いて説明する。図２Ａに示す撮影機能を有する頬部ライナー１は、ヘルメット９内側壁に設けられる。撮影機能を有する頬部ライナー１は、本体１０、電源装置１２及び撮影装置１４を含む。
【００２５】
本体１０は、板体１００、弾性ライナー１０１、第１の貫通孔構造１０２、接続構造１０４、少なくとも１つの第２の貫通孔構造１０６及び少なくとも１つの粘着層１０８を含む。実際の適用において、板体１００の材質は、プラスチック、金属又は炭素繊維等の材質によって実現してもよい。但し、本考案は、板体１００の材質を制限するものではない。板体１００は、例えば三角形、矩形又は多辺形に類似する板体である。但し、本考案は、板体１００の形態を制限するものではない。
【００２６】
弾性ライナー１０１は、弾性被覆部１０１１を有する。実際の適用において、弾性被覆部１０１１の形態は、例えばくの字形、逆コの字形又は不規則形に類似する形態である。弾性被覆部１０１１は、電源装置１２及び撮影装置１４を本体１０において被覆するのに用いられる。弾性被覆部１０１１は、例えば皮革布、先染め布、織物布又はナイロン布である。但し、本実施例は、弾性被覆部１０１１の材質及び形態を制限するものではない。また、弾性被覆部１０１１は、複数の貼付層１０１２を有する。この貼付層１０１２は、例えば面ファスナーである。但し、本実施例は、貼付層１０１２の材質を制限するものではない。
【００２７】
第１の貫通孔構造１０２は、板体１００に設けられ、ヘルメット９のあご紐を通すのに用いられる。実際の適用において、既存の一般的なスリークォーターズ型ヘルメット９内の左右両側壁にはヘルメットのあご紐が設けられる。第１の貫通孔構造１０２にヘルメットのあご紐を組み合わせた構成とすることで、ヘルメットのあご紐を第１の貫通孔構造１０２に通す。従って、使用者は、ヘルメット９を被りヘルメットのあご紐を締めることができる。また、接続構造１０４は、例えばボタン止めの構成とした金属ボタンである。接続構造１０４は板体１００に設けられ、ヘルメット９内側壁のハトメに接続するのに用いられる。その他の部分は同一であるため、説明は省略する。
【００２８】
第２の貫通孔構造１０６は、板体１００に設けられ、弾性被覆部１０１１を通すのに用いられる。実際の適用において、第２の貫通孔構造１０６は、例えば１つのくの字形貫通孔構造である。弾性被覆部１０１１は、板体１００のおもて面に配置された電源装置１２及び撮影装置１４を被覆することができる。弾性被覆部１０１１における上述した貼付層１０１２のうちの１つが第２の貫通孔構造１０６を貫通すると共に、板体１００の背面の粘着層１０８へと回り込むことによって、貼付層１０１２と粘着層１０８とが貼り合わされる。これにより、電源装置１２及び撮影装置１４を被覆する効果を達成する。
【００２９】
詳しく述べると、図２Ｂに示すように、粘着層１０８は、板体１００に設けられ、弾性被覆部１０１１の貼付層１０１２に粘着するのに用いられる。実際の適用において、粘着層１０８は、例えば面ファスナーである。粘着層１０８の数は、１つ、２つ又は複数であってもよい。図２Ａに示すように、このうち一部の粘着層１０８は、板体１００のおもて面に設けられる。図２Ｂに示すように、残りの粘着層１０８は、板体１００の背面に設けられる。但し、本実施例は、粘着層１０８の数、態様及び設置位置を制限するものではない。
【００３０】
他の実施例において、第２の貫通孔構造１０６の数は、例えば２つ、３つ又は複数であってもよい。第２の貫通孔構造１０６は、板体１００のおもて面に配置された電源装置１２及び撮影装置１４の位置に基づいて構成される。当然ながら、弾性被覆部１０１１の貼付層１０１２は、第２の貫通孔構造１０６の数及び形態に基づいて構成されてもよい。但し、本考案は、第２の貫通孔構造１０６の数及び形態を制限するものではない。
【００３１】
図２Ａに示すように、電源装置１２は、本体１０に設けられる。実際の適用において、電源装置１２は、例えば充電電池、リチウム電池、水銀電池、ニッケル水素電池又は太陽電池である。但し、本考案は、電源装置１２の態様を制限するものではない。当然ながら、電源装置１２は、電線を介して撮影装置１４に給電することができる。
【００３２】
特筆すべきことは、本考案の弾性被覆部１０１１は、自由に取り外すことが可能なことである。これにより、電源装置１２及び撮影装置１４のうち１つが破損した場合、使用者は、その破損した装置のみを交換することができる。他の実施例において、電源装置１２は、充電構造を含んでもよい。これにより、電源装置１２は、充電構造を介して、モバイル電源又は商用電源等の充電電力を受電することができる。但し、本実施例は、電源装置１２の態様を制限するものではない。
【００３３】
撮影装置１４は、本体１０に設けられ、電源装置１２に電気的に接続される。実際の適用において、撮影装置１４は、撮影レンズ１４０、ハウジング、保護層１４２、制御ユニット１４３及び記憶ユニット１４８を含む。撮影レンズ１４０は、例えば相補型金属酸化物半導体の光学センサ素子（Ｃｏｍｐｌｅｍｅｎｔａｒｙ  Ｍｅｔａｌ−Ｏｘｉｄｅ  Ｓｅｍｉｃｏｎｄｕｃｔｏｒ  Ｓｅｎｓｏｒ、ＣＭＯＳ  Ｓｅｎｓｏｒ）又は電荷結合素子（ｃｈａｒｇｅ−ｃｏｕｐｌｅｄ  Ｄｅｖｉｃｅ、ＣＣＤ）である。撮影レンズ１４０は、ハウジングに設けられる。保護層１４２は、例えばシリコーンゲル（通称ゲル）、ゴム又はプラスチックであり、ハウジングを被覆するのに用いられる。これにより、撮影レンズ１４０を保護する。また、事故やアクシデントが発生した場合、保護層１４２が撮影レンズ１４０を安全に被覆しているため、撮影レンズ１４０が破砕して使用者の顔を傷つけることを低減することができる。但し、本実施例は、撮影装置１４の態様を制限するものではない。
【００３４】
制御ユニット１４３は、本体１０に設けられ、電源装置１２及び撮影装置１４に電気的に接続される。実際の適用において、制御ユニット１４３は、例えば中央処理装置（ＣＰＵ）又はマイクロプロセッサ（ＭＰＵ）等であり、撮影装置１４内の各ユニット同士の信号演算及び処理を実行するのに用いられる。実際の適用において、制御ユニット１４３は、撮影レンズ１４０がヘルメット９の周辺環境の映像を取り込むように、撮影レンズ１４０を制御する。制御ユニット１４３は、撮影レンズ１４０が取り込んだ映像を受信すると共に、当該映像を記憶ユニット１４８に保存する。また、制御ユニット１４３は、複数の制御スイッチ１４３０を有する。このうち一部の制御スイッチ１４３０は、撮影レンズ１４０によるヘルメット９の周辺環境の映像の取り込み又は取り込みの中止を制御するのに用いられる。但し、本実施例は、制御ユニット１４３の態様を制限するものではない。
【００３５】
記憶ユニット１４８は、制御ユニット１４３に電気的に接続され、ヘルメット９の周辺環境の映像を記録するのに用いられる。記憶ユニット１４８は、例えばフラッシュメモリ、ＳＤカード（Ｓｅｃｕｒｅ  Ｄｉｇｉｔａｌ  ｃａｒｄ、ＳＤ  ｃａｒｄ）、ＸＤカード（Ｅｘｔｒｅｍｅ  Ｄｉｇｉｔａｌ−Ｐｉｃｔｕｒｅ  ｃａｒｄ、ＸＤ  ｃａｒｄ）又はメモリースティック（Ｍｅｍｏｒｙ  Ｓｔｉｃｋ  ｃａｒｄ、ＭＳ  ｃａｒｄ）、コンパクトフラッシュ（ｃｏｍｐａｃｔ  ｆｌａｓｈ、ＣＦ）カード又はマルチメディアカード（ｍｕｌｔｉｍｅｄｉａ  ｃｏｍｐａｃｔ  ｃａｒｄ、ＭＭＣ  ｃａｒｄ）である。但し、本実施例は、記憶ユニット１４８の態様を制限するものではない。
【００３６】
本考案に係る撮影機能を有する頬部ライナー１は、撮影レンズ１４０を可動させて回動させることでヘルメット９の周辺環境の映像を取り込めるように、制御ユニット１４３と撮影レンズ１４０との間に設けられた、回動ユニット１４５を更に含む。他の実施例において、回動ユニット１４５は、映像を撮影録画する角度が自動調整されるように、制御ユニット１４３に制御されるようにしてもよい。但し、本実施例は、回動ユニット１４５の態様を制限するものではない。
【００３７】
特筆すべきことは、本考案の弾性ライナー１０１は、複数の緩衝部１０１３を更に含むことである。緩衝部１０１３は、例えば高密度フォーム、発泡体、ラテックス、シリコーンゲル又はゴムなどのものである。但し、本実施例は、緩衝部１０１３の材質を制限するものではない。このうち１つの緩衝部１０１３は、弾性ライナー１０１がくの字形ライナー構造又はコの字形ライナー構造に構成されるように、電源装置１２と撮影装置１４との間に介在される。残りの一部の緩衝部１０１３は、電源装置１２及び撮影装置１４を被覆するように、弾性被覆部１０１１と本体１０との間に介在される。但し、本実施例は、緩衝部１０１３の配置位置及び実施態様を制限するものではない。
【００３８】
本考案に係る撮影機能を有する頬部ライナー１は、電源装置１２と撮影装置１４とを、薄型装置に統合すると共に本体１０に設ける。例えば、電源装置１２又は撮影装置１４の厚さは８ミリメートルまで抑えられる。本考案は、高密度フォーム、発泡体、ラテックス、シリコーンゲル又はゴムである緩衝部１０１３を使用して電源装置１２又は撮影装置１４を被覆する。これにより、本考案に係る撮影機能を有する頬部ライナー１は、元のヘルメットの頬部ライナーと同じく、例えば頬部ライナー形態とヘルメット９内側壁に占める体積とが略同一となる。本考案に係る撮影機能を有する頬部ライナー１は、ヘルメット９の周辺環境の映像を撮影録画する効果を更に有しているため、ヘルメット９の利便性と安全性を向上させることが可能である。
【００３９】
＜第２の実施例＞
図３Ａは、本考案の他の実施例に係る撮影機能を有する頬部ライナー３を示す正面図である。図３Ｂは、図３Ａに基づく本考案の他の実施例に係る撮影機能を有する頬部ライナー３を示す背面図である。以下、図３Ａ及び図３Ｂを用いて説明する。本実施例に係る撮影機能を有する頬部ライナー３は、前述した実施例に係る撮影機能を有する頬部ライナー１と似ている。例えば、撮影機能を有する頬部ライナー３も、ヘルメットの周辺環境の映像を撮影録画することができる。しかしながら、本実施例に係る撮影機能を有する頬部ライナー３と前述した実施例に係る撮影機能を有する頬部ライナー１との間には、依然として相違点が存在する。即ち、本実施例の撮影装置３４は、ハウジング３４１、撮影レンズ３４０、保護層３４２、赤外線ランプ３４４及び発光ダイオード３４６を更に含む。撮影レンズ３４０、赤外線ランプ３４４及び発光ダイオード３４６は、いずれもハウジング３４１に設けられる。また、赤外線ランプ３４４は撮影録画する目標に対して光を投射することができ、発光ダイオード３４６は照明として使用することができる。
【００４０】
保護層３４２は、撮影レンズ３４０、赤外線ランプ３４４及び発光ダイオード３４６を有するハウジング３４１も被覆することができる。これにより、撮影レンズ３４０、赤外線ランプ３４４及び発光ダイオード３４６が破砕して使用者の顔を傷つけることを低減することができる。但し、本実施例は、撮影装置３４の態様を制限するものではない。
【００４１】
当然ながら、制御ユニット３４３は、赤外線ランプ３４４及び発光ダイオード３４６も制御することができる。例えば、制御ユニット３４３の一部の制御スイッチ３４３０は、赤外線ランプ３４４の発光又は発光の中止を制御するのに用いられる。その他の一部の制御スイッチ３４３０は、発光ダイオード３４６の発光又は発光の中止を制御するのに用いられる。但し、本実施例は、制御ユニット３４３の態様を制限するものではない。
【００４２】
また、撮影機能を有する頬部ライナー３は、ヘルメットの周辺環境の音声を取り込むのに用いられる集音ユニット３４７を更に含む。実際の適用において、集音ユニット３４７は、例えばマイクロフォンであり、撮影装置３４のハウジング３４１に嵌め込まれる。換言すれば、集音ユニット３４７と撮影レンズ３４０とはハウジング３４１を共用する。但し、本実施例は、集音ユニット３４７の態様及び配置位置を制限するものではない。
【００４３】
特筆すべきことは、本実施例の弾性被覆部３０１１は、１つの貼付層３０１２のみを有することである。この貼付層３０１２に対向する他側の弾性被覆部３０１１は、板体３００に縫い付けられている。従って、この貼付層３０１２が板体３００の背面の粘着層３０８へと回り込むことによって、貼付層３０１２と粘着層３０８とが貼り合わされる。これにより、電源装置３２及び撮影装置３４を被覆する效果を達成する。
【００４４】
本実施例の本体３０は、台形の板体３００を含むと共に、接続構造を有しない。これにより、本実施例に係る撮影機能を有する頬部ライナー３は、粘着剤によってヘルメット内の左右両側壁に貼付することができる。但し、本実施例は、本体３０の態様を制限するものではない。
【００４５】
上述した相違点以外については、当業者であれば、第２の実施例の実施形態が第１の実施例と実質的に等価であることが分かるため、当業者は、第１の実施例及び上述した相違点を参照した後、容易に推知することが可能である。従って、詳しい説明は省略する。
【００４６】
このように、本考案に係る撮影機能を有する頬部ライナーは、ヘルメット内側壁に設けられ、ドライブ、交通事故又は衝突事故の過程の映像を記録するのに用いられる。本考案は、本体がヘルメット内の左側壁又は右側壁に設けられ、電源装置と撮影装置とを、薄型装置に統合すると共に本体の弾性ライナーに嵌め込むことによって、電源装置及び撮影装置の厚さを約８ミリメートルまで抑えており、また、例えば高密度フォームである緩衝部を使用して電源装置及び撮影装置を覆っている。これにより、本考案に係る撮影機能を有する頬部ライナーは、ヘルメットの周辺環境の映像を撮影録画する効果を有し、ヘルメットの利便性と安全性を向上させることが可能である。
【００４７】
以上、好ましい実施例の詳細な説明において提示した具体的な実施例は、本考案に係る技術内容に関する説明の便宜上用いたものに過ぎず、本考案を上述した実施例に制限するものではない。本考案の趣旨及び本考案の実用新案登録請求の範囲を逸脱しない範囲においてなされた種々の変更は、いずれも本考案の範囲に含まれる。従って、本考案の保護範囲は、本考案の実用新案登録請求の範囲に特定される。
【符号の説明】
【００４８】
１、３    撮影機能を有する頬部ライナー
９    ヘルメット
１０、３０    本体
１００、３００    板体
１０１、３０１    弾性ライナー
１０１１、３０１１    弾性被覆部
１０１２、３０１２    貼付層
１０１３、３０１３    緩衝部
１０２、３０２    第１の貫通孔構造
１０４、３０４    接続構造
１０６    第２の貫通孔構造
１０８、３０８    粘着層
１２、３２    電源装置
１４、３４    撮影装置
１４０、３４０    撮影レンズ
３４１    ハウジング
１４２、３４２    保護層
１４３、３４３    制御ユニット
１４３０、３４３０    制御スイッチ
３４４    赤外線ランプ
１４５、３４５    回動ユニット
３４６    発光ダイオード
３４７    集音ユニット
１４８、３４８    記憶ユニット
【図１Ａ】
0003191713.tif 000003
【図１Ｂ】
0003191713.tif 000004
【図２Ａ】
0003191713.tif 000005
【図２Ｂ】
0003191713.tif 000006
【図３Ａ】
0003191713.tif 000007
【図３Ｂ】
0003191713.tif 000008
【手続補正書】
【提出日】平成26年4月28日(2014.4.28)
【手続補正１】
【補正対象書類名】実用新案登録請求の範囲
【補正対象項目名】全文
【補正方法】変更
【補正の内容】
【実用新案登録請求の範囲】
【請求項１】
ヘルメット内側壁に設けられる撮影機能を有する頬部ライナーであって、
弾性ライナーを有する本体と、
前記弾性ライナーに嵌め込まれ、撮影レンズが前記弾性ライナー外に露出される撮影装置と、
ハウジングと、
前記ハウジングを被覆する保護層と、
前記撮影レンズに電気的に接続される制御ユニットと、
可動するように前記ハウジングに接続される回動ユニットと、
を含み、
前記撮影レンズは、前記ハウジングに設けられ、前記回動ユニットを介して可動して前記ヘルメットの周辺環境の映像を取り込むように可動調整できることを特徴とする撮影機能を有する頬部ライナー。
【請求項２】
前記弾性ライナーに嵌め込まれ、前記撮影装置に電気的に接続される電源装置を更に含むことを特徴とする請求項１に記載の撮影機能を有する頬部ライナー。
【請求項３】
前記本体は、
板体と、
前記板体に設けられ、前記ヘルメットのあご紐を通すのに用いられる第１の貫通孔構造と、
前記板体に設けられ、前記ヘルメットに接続するのに用いられる接続構造と、
を更に含み、
前記弾性ライナーが前記板体に設けられ、前記板体が前記接続構造を介して前記ヘルメット内側壁に設けられることを特徴とする請求項２に記載の撮影機能を有する頬部ライナー。
【請求項４】
前記本体は、
前記板体に設けられる少なくとも１つの第２の貫通孔構造と、
前記板体に設けられる少なくとも１つの粘着層と、
を更に含むことを特徴とする請求項３に記載の撮影機能を有する頬部ライナー。
【請求項５】
前記弾性ライナーは、前記電源装置及び前記撮影装置を被覆するための弾性被覆部を有し、前記弾性被覆部は、複数の貼付層を有し、前記複数の貼付層のうちの１つが、前記少なくとも１つの粘着層に貼付されるように、前記少なくとも１つの第２の貫通孔構造を貫通することを特徴とする請求項４に記載の撮影機能を有する頬部ライナー。
【請求項６】
前記撮影装置は、
前記ハウジングに設けられ、前記制御ユニットに電気的に接続される赤外線ランプと、
前記ハウジングに設けられ、前記制御ユニットに電気的に接続される発光ダイオードと、
を更に含むことを特徴とする請求項１に記載の撮影機能を有する頬部ライナー。
【請求項７】
前記制御ユニットは、一部の制御スイッチが前記撮影装置による前記ヘルメットの周辺環境の映像の取り込み又は取り込みの中止を制御するのに用いられ、他の一部の制御スイッチが前記赤外線ランプの発光又は発光の中止を制御するのに用いられ、更に他の一部の制御スイッチが前記発光ダイオードの発光又は発光の中止を制御するのに用いられる複数の制御スイッチを更に含むことを特徴とする請求項６に記載の撮影機能を有する頬部ライナー。
【請求項８】
前記弾性ライナーは、くの字形ライナー構造又はコの字形ライナー構造となる構成であり、
前記弾性ライナーは、１つの緩衝部が前記電源装置と前記撮影装置との間に介在され、残りの一部の緩衝部が前記撮影装置及び前記電源装置を被覆する複数の緩衝部を更に含むことを特徴とする請求項２に記載の撮影機能を有する頬部ライナー。
【請求項９】
前記撮影装置は、前記ヘルメットの周辺環境の音声を取り込むのに用いられる集音ユニットと、前記ヘルメットの周辺環境の映像及び音声を記録するのに用いられる記憶ユニットと、を更に含むことを特徴とする請求項１に記載の撮影機能を有する頬部ライナー。
【手続補正２】
【補正対象書類名】明細書
【補正対象項目名】００３５
【補正方法】変更
【補正の内容】
【００３５】
記憶ユニット１４８は、制御ユニット１４３に電気的に接続され、ヘルメット９の周辺環境の映像を記録するのに用いられる。記憶ユニット１４８は、例えばフラッシュメモリ、ＳＤカード「Ｓｅｃｕｒｅ  Ｄｉｇｉｔａｌ  ｃａｒｄ、ＳＤ  ｃａｒｄ」、ＸＤカード「Ｅｘｔｒｅｍｅ  Ｄｉｇｉｔａｌ−Ｐｉｃｔｕｒｅ  ｃａｒｄ、ＸＤ  ｃａｒｄ」又はメモリースティック（登録商標）「Ｍｅｍｏｒｙ  Ｓｔｉｃｋ（登録商標）ｃａｒｄ、ＭＳ  ｃａｒｄ」、コンパクトフラッシュ（登録商標）「ｃｏｍｐａｃｔ  ｆｌａｓｈ（登録商標）、ＣＦ」カード又はマルチメディアカード「ｍｕｌｔｉｍｅｄｉａ  ｃｏｍｐａｃｔ  ｃａｒｄ、ＭＭＣ  ｃａｒｄ」である。但し、本実施例は、記憶ユニット１４８の態様を制限するものではない。